(57)【要約】【課題】本装置の機能を自動的にユーザに知らせること。【解決手段】チューナ１がアンテナ１１を介しテレビ放送信号を受信すると、ＣＭ検出部２は、受信されたテレビ放送信号からＣＭ信号を検出する。ＣＭ検出部２がＣＭ信号を検出すると、テロップデータ制御部５はユーザの操作に基づいて本装置における利用回数の少ない機能を検出して、未利用の機能に対応した機能紹介用テロップデータを記憶部７から読み出す。ＯＳＤ信号生成部８は、読み出された機能紹介用テロップデータに基づいてＯＳＤ信号を生成し表示制御部９へ出力する。表示制御部９は、ＣＭ放送信号に機能紹介用テロップに基づくＯＳＤ信号を合成してディスプレイ１０に表示する。【選択図】図１
2010045480.tif 000002
【特許請求の範囲】
【請求項１】
テレビ放送信号を受信する受信部と、
ユーザが本装置を操作するための入力部と、
本装置の機能を紹介するための複数の機能紹介用テロップデータを予め記憶した記憶部と、
前記入力部による操作に基づいて本装置における利用回数の少ない機能を検出し、利用回数の少ない機能の前記機能紹介用テロップデータを、前記記憶部から読み出すテロップデータ制御部と、
前記記憶部から読み出された前記機能紹介用テロップデータに基づいてＯＳＤ信号を生成するＯＳＤ信号生成部と、
前記受信部が受信した前記テレビ放送信号に、前記ＯＳＤ信号を合成してディスプレイに表示する表示制御部と、
を有するテレビ放送受信装置。
【請求項２】
請求項１記載のテレビ放送受信装置において、
さらに、前記受信部が受信した前記テレビ放送信号からＣＭ信号を検出するＣＭ検出部を有し、
前記テロップデータ制御部は、
前記ＣＭ検出部によって前記ＣＭ信号が検出された場合、前記入力部による操作に基づいて本装置における利用回数の少ない機能を検出し、利用回数の少ない機能の前記機能紹介用テロップデータを、前記記憶部から読み出す、テレビ放送受信装置。
【請求項３】
請求項１または請求項２記載のテレビ放送受信装置において、
さらに、ユーザによる本装置の連続視聴時間を計測するタイマを有し、
前記テロップデータ制御部は、
前記ＣＭ検出部によって前記ＣＭ信号が検出され、さらに、前記連続視聴時間が所定時間を超えた場合、前記入力部による操作に基づいて本装置における利用回数の少ない機能を検出し、利用回数の少ない機能の前記機能紹介用テロップデータを、前記記憶部から読み出す、テレビ放送受信装置。
【請求項４】
請求項１〜請求項３いずれか一の請求項に記載のテレビ放送受信装置において、
前記テロップデータ制御部は、
前記入力部による操作に基づいて、直前に操作された機能に関連する本装置における利用回数の少ない機能を検出し、利用回数の少ない機能の前記機能紹介用テロップデータを、前記記憶部から読み出す、テレビ放送受信装置。
【請求項５】
テレビ放送信号を受信するステップと、
受信した前記テレビ放送信号からＣＭ信号を検出するステップと、
と、
前記ＣＭ信号が検出された場合、ユーザの操作に基づいて本装置における利用回数の少ない機能を検出するステップと、
本装置の機能を紹介するための複数の機能紹介用テロップデータを予め記憶した記憶部から、利用回数の少ない機能の前記機能紹介用テロップデータを読み出すステップと、
前記機能紹介用テロップデータに基づいてＯＳＤ信号を生成するステップと、
前記テレビ放送信号に、前記ＯＳＤ信号を合成してディスプレイに表示するステップと、
を有する機能紹介用テロップ表示方法。
【発明の詳細な説明】
【技術分野】
【０００１】
本発明は、テレビ放送受信装置および機能紹介用テロップ表示方法に関する。
【背景技術】
【０００２】
従来より、番組放送中やＣＭ期間中に、オンスクリーンディスプレイ（ＯＳＤ）機能により、ニュース速報や字幕等をテロップにより表示することが行われている(例えば、特許文献１，２等参照)。
【特許文献１】特開２００８−１７５０４４号公報
【特許文献２】特開２００７−２８３４７号公報
【発明の開示】
【発明が解決しようとする課題】
【０００３】
ところで、近年、周辺ハードウェアのディジタル化やメモリの拡大により、テレビ放送受信装置の多機能化が進んでおり、テレビ放送受信装置には、数多くの機能が搭載されている。
【０００４】
しかしながら、前記従来のテレビ放送受信装置では、ユーザが本装置の機能を知るには、取り扱い説明書を読むか、もしくはテレビを直接操作し、機能の内容を示す設定操作画面の表示を行わなければならず、使用されない機能が多くある、という課題があった。
【０００５】
そこで、本発明は、本装置の機能を自動的にユーザに知らせることができるテレビ放送受信装置および機能紹介用テロップ表示方法を提供することを目的とする。
【課題を解決するための手段】
【０００６】
前記課題を解決するため、本発明のテレビ放送受信装置は、テレビ放送信号を受信する受信部と、ユーザが本装置を操作するための入力部と、本装置の機能を紹介するための複数の機能紹介用テロップデータを予め記憶した記憶部と、前記入力部による操作に基づいて本装置における利用回数の少ない機能を検出し、利用回数の少ない機能の前記機能紹介用テロップデータを、前記記憶部から読み出すテロップデータ制御部と、前記記憶部から読み出された前記機能紹介用テロップデータに基づいてＯＳＤ信号を生成するＯＳＤ信号生成部と、前記受信部が受信した前記テレビ放送信号に、前記ＯＳＤ信号を合成してディスプレイに表示する表示制御部と、を有するものである。
ここで、前記テレビ放送受信装置において、さらに、前記受信部が受信した前記テレビ放送信号からＣＭ信号を検出するＣＭ検出部を有し、前記テロップデータ制御部は、前記ＣＭ検出部によって前記ＣＭ信号が検出された場合、前記入力部による操作に基づいて本装置における利用回数の少ない機能を検出し、利用回数の少ない機能の前記機能紹介用テロップデータを前記記憶部から読み出す、ようにしても良い。
また、前記テレビ放送受信装置において、さらに、ユーザによる本装置の連続視聴時間を計測するタイマを有し、前記テロップデータ制御部は、前記ＣＭ検出部によって前記ＣＭ信号が検出され、さらに、前記連続視聴時間が所定時間を超えた場合、前記入力部による操作に基づいて本装置における利用回数の少ない機能を検出し、利用回数の少ない機能の前記機能紹介用テロップデータを、前記記憶部から読み出すようにしても良い。
また、前記テレビ放送受信装置において、前記テロップデータ制御部は、前記入力部による操作に基づいて、直前に操作された機能に関連する本装置における利用回数の少ない機能を検出し、利用回数の少ない機能の前記機能紹介用テロップデータを、前記記憶部から読み出すようにしても良い。
また、本発明の機能紹介用テロップ表示方法は、テレビ放送信号を受信するステップと、受信した前記テレビ放送信号からＣＭ信号を検出するステップと、前記ＣＭ信号が検出された場合、ユーザの操作に基づいて本装置における利用回数の少ない機能を検出するステップと、本装置の機能を紹介するための複数の機能紹介用テロップデータを予め記憶した記憶部から、利用回数の少ない機能の前記機能紹介用テロップデータを読み出すステップと、前記機能紹介用テロップデータに基づいてＯＳＤ信号を生成するステップと、前記テレビ放送信号に、前記ＯＳＤ信号を合成してディスプレイに表示するステップと、を有するものである。
【発明の効果】
【０００７】
本発明によれば、ユーザの操作に基づいて本装置における利用回数の少ない機能を検出して、未利用の機能に対応した機能紹介用テロップデータを読み出し、読み出した機能紹介用テロップデータに基づいてＯＳＤ信号を生成し、テレビ放送信号にそのＯＳＤ信号を合成してディスプレイに表示するようにしたので、ユーザにより多くの本装置の機能を簡単かつ自動的に知らせることができる。
【発明を実施するための最良の形態】
【０００８】
実施の形態１．
以下、本発明に係るテレビ放送受信装置および機能紹介用テロップ表示方法について説明する。
【０００９】
図１は、本発明の一実施の形態であるテレビ放送受信装置の機能紹介用テロップ表示装置の構成図である。
【００１０】
図１において、テレビ放送受信装置は、チューナ１、ＣＭ検出部２、リモコン等の入力部３、タイマ４４、テロップデータ制御部５、記憶部７、ＯＳＤ信号生成部８、表示制御部９、ディスプレイ１０を有しており、アンテナ１１に接続されている。なお、ディスプレイ１０は、本装置とは別に設けられていて、接続されるような構成でも勿論よい。また、タイマ４は、本実施の形態１では必ず必要な構成ではなく、後述する実施の形態２で必要になる構成要素である。
【００１１】
次に動作を説明する。
【００１２】
まず、チューナ１は、アンテナ１１を介してテレビ放送信号を受信すると、復調して、テレビ放送信号を表示制御部９およびＣＭ検出部２へ出力する。
【００１３】
ＣＭ検出部２は、チューナ１にて受信および復調されたテレビ放送信号からコマーシャル（ＣＭ）の開始および終了を検出して、ＣＭ検出信号としてテロップデータ制御部５へ出力する。ここで、コマーシャル（ＣＭ）の開始および終了の検出は、テレビ放送信号の内の音声信号部分がモノラルからステレオへの変化や、映像信号部分の切り替り、テレビ放送信号に含まれるＣＭ期間またはＣＭ部分を示す信号の検出による公知の手法を用いる。また、ＣＭ検出信号としてＣＭの開始だけでも良い。
【００１４】
次に、本実施の形態１による機能紹介用テロップ表示動作を、フローチャートを参照して説明する。なお、以下の機能紹介用テロップ表示方法は、本装置の電源ＯＮ中、すなわちテレビ放送の視聴中は常に行われるようにしても良いし、あるいは機能紹介用テロップ表示モード等を設けて、ユーザがこのモードを選択した場合のみ行われるようにしても良い。
【００１５】
図２は、本実施の形態１による機能紹介用テロップ表示動作を示すフローチャートである。
【００１６】
テロップデータ制御部５は、ユーザがリモコン等の入力部３を操作しての機能操作を検出して（ステップ１００）、ユーザにより利用または使用されていない本装置の未利用の機能を検出している（ステップ１１０）。ここで、テロップデータ制御部５が検出する本装置の機能には、リモコン等の入力部３から指令できる本装置の機能だけでも良い。また、機能の検出は、本装置の電源オフの際にリセットされ、電源オンの度にリスタートしても、本装置の電源オフの際にリセットされず継続していても良い。さらに、タイマ４からのタイマ信号に基づいて、半年や１年毎等の所定期間毎に利用されない機能を検出するようにしても良い。また、利用機能の検出には、例えば、入力部３の操作により出力される操作コード（機能コード）の検出により行う。またさらに、これらのステップ１００，１１０の処理は、後述するステップ１２０以降の処理と共に、本実施の形態１の機能紹介用テロップ表示動作を生成しているが、後述するステップ１２０以降の処理とは別に、すなわち、機能紹介用テロップ表示動作とは関係なく、本装置の電源ＯＮの期間は、常に動作するようにしても良い。このようにした場合、本実施の形態１の機能紹介用テロップ表示動作は、後述するステップ１２０の処理から開始することになる。
【００１７】
そして、テロップデータ制御部５は、ＣＭ検出部２からＣＭ検出信号あるいはＣＭ開始信号を受信すると（ステップ１２０“ＹＥＳ”）、今までユーザにより利用または使用されていない本装置の未利用の機能で、テロップによる未紹介の機能があるか否かを判断する（ステップ１３０）。ここで、本実施の形態１では、一度のＣＭ期間中には一の機能紹介用テロップを表示し、ＣＭ毎に未利用の機能紹介用テロップが切り替わり表示されるように、テロップデータ制御部５は、例えば、各機能紹介用テロップに表示回数を設定しておき、その表示回数を参照してテロップによる未紹介であるか否かを判定している。
【００１８】
ここで、テロップデータ制御部５は、今までユーザにより利用または使用されていない未利用の機能で、テロップによる未紹介の機能がある場合（ステップ１３０“ＹＥＳ”）、その未利用の機能を紹介する機能紹介用テロップデータを、記憶部７から読み出し、ＯＳＤ信号生成部８へ出力する（ステップ１４０）。
【００１９】
そのため、テロップデータ制御部５には、予め本装置の機能が全て記憶されており、また、記憶部７には、予めその本装置の機能を文字データや図形データ、音声データ等により説明する機能紹介用テロップデータが予め記憶されている。ここで、機能紹介用テロップデータとしては、例えば、“番組案内表（ＥＰＧ）は、番組表ボタンを押します。”、“オフタイマーはボタンＡを使用して設定できます。”、“オンタイマーはボタンＢを使用して設定できます。”等である。
【００２０】
ここで、記憶部７に予め記憶されているテロップデータに、優先度が付されており、テロップデータ制御部５は、ユーザが未利用で、かつ、優先度の高いテロップデータから読み出すようにしても良い。
【００２１】
すると、ＯＳＤ信号生成部８は、テロップデータ制御部５から出力された未利用機能の機能紹介用テロップデータをＯＳＤ信号に変換し、表示制御部９へ出力する（ステップ１５０）。
【００２２】
表示制御部９は、チューナ１にて受信および復調されたテレビ放送信号に、ＯＳＤ信号生成部８からの未利用機能の機能紹介用テロップデータのＯＳＤ信号を合成してディスプレイ１０へ出力して、テロップとして表示する（ステップ１６０）。
【００２３】
その際、表示制御部９は、一のＣＭ期間中に一の機能紹介用テロップデータのみが読み出され、テロップとして１回または所定回数繰り返し表示され、ＣＭ期間毎に異なる機能紹介用テロップデータが１つずつ表示されるようにしても良いし、一のＣＭ期間中に複数の機能紹介用テロップデータが読み出され、一のＣＭ期間中に複数の機能を紹介する機能紹介用テロップが表示されるようにしても勿論良い。
【００２４】
これにより、ディスプレイ１０には、ＣＭの放送中に、本装置の機能のうちユーザが未利用または未使用の機能を紹介する未利用機能紹介用テロップデータがＯＳＤ信号によりテロップとして表示されるので、ユーザは、ＣＭの放送中に、本装置における未利用の機能をテロップにより知ることができる。
【００２５】
なお、テロップデータ制御部５は、ＣＭ検出部２からＣＭ期間の終了を示すＣＭ終了信号を受信すると（ステップ１７０“ＹＥＳ”）、以上説明した機能紹介用テロップ表示動作を終了する。ＣＭ検出部２からＣＭ期間の終了を示すＣＭ終了信号を受信するまでは（ステップ１７０“ＹＥＳ”）、前記ステップ１３０〜１７０の処理を繰り返して、未利用機能の機能紹介用テロップを表示する。
【００２６】
本実施の形態１では、以上の処理をＣＭ期間毎に繰り返し行い、ＣＭ期間毎に、未紹介で未利用機能の機能紹介用テロップデータを一ずつ表示して紹介することを繰り返す。
【００２７】
図３は、ディスプレイ１０に表示されるテロップ表示の一例を示している。
【００２８】
図３において、ディスプレイ１０には、ＣＭ放送３１の画面下方に、ユーザが未利用の機能である、例えば、“オフタイマーはボタンＡを使用して設定できます。“等の未利用機能紹介用テロップ３２がＯＳＤ信号として合成して表示される。なお、未利用機能紹介用テロップ３２は、ＣＭ放送３１の画面上方に表示されても勿論よい。また、ディスプレイ１０に表示されたテレビ画面の上下に、テレビ放送が表示されない黒帯部分が生じた場合には、この部分にテロップ表示をするようにしても良い。
【００２９】
従って、本実施の形態１のテレビ放送受信装置および機能紹介用テロップ表示方法によれば、ＣＭ期間中に、本装置の未利用の機能を紹介したテロップを表示することにより、ユーザにより多くの本装置の機能を簡単かつ自動的に知らせることができる。
知る機会を与えることができる。
【００３０】
また、本実施の形態１によれば、ユーザがこれまで使用しなかった機能を自動で検出し、表示通知することができるため、開発者側がユーザに使用して欲しい全ての機能を伝える事ができる。
【００３１】
また、本実施の形態１によれば、ＣＭ（コマーシャル）放送時のみ、未利用機能の機能紹介用テロップが表示されるので、番組放送時は、番組に集中することができる。
【００３２】
なお、本実施の形態１では、ＣＭ期間中に本装置の未利用機能を紹介した機能紹介用テロップを表示するように説明したが、本発明では、これに限らず、通常のテレビ放送番組の放送期間中に、機能紹介用テロップを表示するようにしても勿論よい。この場合、図２におけるステップ１２０，１７０の処理は省略されることになる。またこの場合、通常のテレビ放送番組上に機能紹介用テロップをＯＳＤ表示すると、テレビ放送番組が見づらくなるので、ディスプレイ１０に表示されたテレビ画面の上下にテレビ放送が表示されない黒帯部分が生じた場合のみ、この部分にテロップ表示したり、チャンネル切り替え時を検出して、このチャンネル切り替え時のテレビ放送番組の非表示時に機能紹介用テロップを表示するようにしても良い。このことは、後述する実施の形態１，２でも同様である。
【００３３】
また、本実施の形態１の説明では、テロップデータ制御部５は、未利用機能の機能紹介用テロップデータを記憶部７から読み出し、テロップとしてＣＭ期間中にディスプレイ１０に表示するように説明したが、本発明では、これに限らず、テロップデータ制御部５が本装置の各機能毎にユーザの利用回数をカウントしておき、本装置における未利用の機能がない場合、利用回数の少ない機能を検出し、未利用も含め利用回数の少ない機能から機能紹介用テロップデータを記憶部７から読み出してテロップとして表示するようにしても勿論良い。このことは、後述する実施の形態１，２でも同様である。
【００３４】
また、本実施の形態１の説明では、一のＣＭ期間中に一の未利用機能の機能紹介用テロップが繰り返し表示されるように説明したが、本発明では、これに限らず、テロップデータ制御部５に、機能紹介用テロップを表示する時間や回数を設定し、テロップ表示開始後に、タイマ４へ設定時間分のカウントダウンを要求する機能を持たせ、カウントダウンが終了した場合、他の機能紹介用テロップの表示に変更するために、再び他の機能紹介テロップデータを選択して表示することにより、一のＣＭ期間中に複数の未利用機能の機能紹介用テロップが表示されたり、さらには、一のＣＭ期間中に一の未利用機能の機能紹介用テロップを所定時間だけ表示して、ＣＭ期間終了前に機能紹介用テロップの紹介を終了するようにしても勿論よい。このことは、後述する実施の形態１，２でも同様である。
【００３５】
実施の形態２．
前記実施の形態１では、テロップデータ制御部５は、ユーザによる本装置の連続視聴時間に関係なく、ＣＭ期間中は、未利用の本装置の機能を説明する機能紹介用テロップをＯＳＤ信号としてＣＭ信号に合成して表示するように説明したが、本実施の形態２では、ユーザによる本装置の連続視聴時間が所定時間、例えば、１時間や２時間を越えたときに、ＣＭ期間になった場合に、本装置における利用回数の少ない機能を検出し、未利用の機能に対応した機能紹介用テロップデータを、記憶部７から読み出してＯＳＤ信号としてＣＭ信号に合成して表示する。
【００３６】
図４は、実施の形態２の機能紹介用テロップ表示動作を示すフローチャートである。図２に示す実施の形態１の機能紹介用テロップ表示動作と、同じ動作には、同じステップ番号を付して説明を省略する。
【００３７】
つまり、本実施の形態２の場合、ステップ１２０のＣＭ開始か否かの判断の後に、テロップデータ制御部５は、タイマ４が計測しているユーザによる本装置の連続視聴時間に基づいて、その連続視聴時間が、例えば、１時間や2時間等の所定時間を超えるか否かを判断し（ステップ２００）、連続視聴時間が所定時間を経過した場合のみ（ステップ２００“ＹＥＳ”）、今までユーザにより利用または使用されていない本装置の未利用の機能で、テロップによる未紹介の機能があるか否かを判断し（ステップ１３０）、未紹介で未利用の機能がある場合のみ（ステップ１３０“ＹＥＳ”）、その未利用の機能を紹介する機能紹介用テロップデータを、記憶部７から読み出し、ＯＳＤ信号生成部８へ出力する（ステップ１４０）。その後の処理は、実施の形態１と同様である。
【００３８】
従って、本実施の形態２のテレビ放送受信装置および機能紹介用テロップ表示方法によれば、前記実施の形態１と同様の効果が得られると共に、ユーザによる本装置の連続視聴時間が所定時間を超えた場合のみ、ＣＭ期間中に本装置の未利用の機能紹介テロップが表示されるので、ユーザが連続して短時間しかテレビ放送信号を視聴していない場合には、ＣＭ期間になっても機能紹介テロップが表示されず、機能紹介テロップの表示による煩わしさを防止することができる。
【００３９】
実施の形態３．
前記実施の形態１〜２では、テロップデータ制御部５は、ユーザによる入力部３の操作に基づいて未利用の機能の機能紹介テロップを順にあるいは重要度等に基づいて記憶部７から読み出し、ＣＭ期間中にディスプレイ１０にＯＳＤ信号としてＣＭ信号に合成して表示するように説明したが、本実施の形態３では、さらに、ユーザによる入力部３の直近の操作に関連した未利用の機能の機能紹介テロップをＣＭ期間中にディスプレイ１０にＯＳＤ信号としてＣＭに合成して表示する。
【００４０】
図５は、実施の形態３の機能紹介用テロップ表示動作を示すフローチャートである。
【００４１】
つまり、本実施の形態３のテロップデータ制御部５では、ステップ２００の視聴時間が一定時間経過したか否かの判断の後に、ユーザが入力部３を利用して操作した直近の利用に関連あるいは類似した未利用の機能があるか否かを判断する（ステップ３００）。そして、直近の利用に関連あるいは類似した未利用の機能がない場合（ステップ３００“ＮＯ”）、本実施の形態３のテロップデータ制御部５では、そのまま機能紹介用テロップ表示動作を終了する一方、直近の利用に関連あるいは類似した未利用の機能がある場合は（ステップ３００“ＹＥＳ”）、ユーザが操作した直近の機能に最も関連した未利用機能の機能紹介用テロップデータを記憶部７から読み出す（ステップ１４０）。その際、前記実施の形態１でも説明したように、直近の機能に関連した未利用機能のテロップが複数ある場合には、例えば、最も関連した未利用の機能から順に、あるいは重要度に応じて出力すると良い。そして、その後は、前記実施の形態１，２と同様で、ＯＳＤ信号を生成し（ステップ１５０）、ディスプレイ１０にテロップとして表示される（ステップ１６０）。また、直近の機能に最も関連する未利用の機能とは、ユーザが操作した直近の機能が“予約機能”であれば、“予約機能”に関連した未利用の機能のことをいう。そのため、記憶部７に記憶されている機能紹介用テロップデータには、予め関連あるいは類似する機能毎に分類されていたり、あるいは関連あるいは類似する機能毎に関連コードや類似コードを設定しておき、テロップデータ制御部５は、それらのコードを参照して関連あるいは類似する機能の機能紹介用テロップデータを読み出すようにする。
【００４２】
なお、図５では、図4に示す実施の形態２のテロップデータ制御部５の制御動作に、実施の形態３特有の制御動作を追加しているが、図２に示す実施の形態１のテロップデータ制御部５の制御動作に、実施の形態３特有の制御動作を追加するようにしても勿論よい。この場合、ステップ１２０の次に、本実施の形態３特有のステップ３００の処理が追加されることになる。
【００４３】
これにより、ユーザが操作した直近の機能に最も関連した未利用機能のテロップがＣＭ期間中のＯＳＤ信号としてディスプレイ１０に表示されることになる。
【００４４】
従って、本実施の形態３のテレビ放送受信装置および機能紹介用テロップ表示方法によれば、前記実施の形態１，２と同様の効果が得られると共に、ユーザによる入力部３の操作に基づいて、ユーザが直前に操作をした機能に関連する未利用の機能に対応した機能紹介用テロップがＣＭ期間中に表示されるので、ユーザの直近の操作に関連した未利用の機能をユーザに知らせることができ、ユーザにとり使い勝手が向上する。
【図面の簡単な説明】
【００４５】
【図１】本発明に係るテレビ放送受信装置の実施の形態１の構成例を示すブロック図である。
【図２】実施の形態１における機能紹介用テロップ表示動作を示すフローチャートである。
【図３】ディスプレイ１０に表示されたテロップ表示の一例を示す図である。
【図４】実施の形態２における機能紹介用テロップ表示動作を示すフローチャートである。
【図５】実施の形態３における機能紹介用テロップ表示動作を示すフローチャートである。
【符号の説明】
【００４６】
１  チューナ（受信部）
２  ＣＭ検出部
３  入力部
４  タイマ
５  テロップデータ制御部
６  テロップ生成部
７  記憶部
８  ＯＳＤ信号生成部
９  表示制御部
１０  ディスプレイ
１１  アンテナ
【図１】
2010045480.tif 000003
【図２】
2010045480.tif 000004
【図３】
2010045480.tif 000005
【図４】
2010045480.tif 000006
【図５】
2010045480.tif 000007